(57)【要約】【課題】  作業用品などを収納する収納スペースがない点を解決することで、帽子、作業用手袋若しくは長靴などの作業用品などを収納することを可能にするとともに、耕耘機の外観を損ねる点を解決し、耕耘機の意匠（デザイン）を向上することを可能にする。【解決手段】  車体フレーム１２にエンジン２１を設け、車体フレーム１２の後部に耕耘装置３３を設け、車体フレーム１２の左右に走行車輪１５，１５を設け、車体フレーム１２から機体１１後方に操作ハンドル２９を延ばし、エンジン２１の回転を変速機１３を含む動力伝達装置３９を介して耕耘装置３３及び走行車輪１５，１５に伝える形式の耕耘機において、車体フレーム１２の前部に、物品を収納するための収納ケース体２３を設けた。【選択図】      図６
2005295853.tif 000002
【特許請求の範囲】
【請求項１】
車体フレームにエンジンを設け、車体フレームの後部に耕耘装置を設け、車体フレームの左右に走行車輪を設け、車体フレームから機体後方に操作ハンドルを延ばし、エンジンの回転を変速機を含む動力伝達装置を介して耕耘装置及び走行車輪に伝える形式の耕耘機において、
前記車体フレームの前部に、物品を収納するための収納ケース体を設けたことを特徴とする耕耘機。
【請求項２】
前記収納ケース体は、開閉のためのヒンジを備え、このヒンジを、前記機体の前端に設けたことを特徴とする請求項１記載の耕耘機。
【発明の詳細な説明】
【技術分野】
【０００１】
本発明は、機体の後部にロータリ耕耘爪（耕耘装置）を備え、このロータリ耕耘爪で圃場（ほじょう）を耕すなどの耕耘作業ができる耕耘機に関するものである。
【背景技術】
【０００２】
耕耘機として、機体にエンジンを搭載し、このエンジンの回転を動力伝達装置を介して走行車輪及びロータリ耕耘爪に伝え、耕耘作業をする耕耘機が実用に供されている。
実用の耕耘機は、エンジンなどの動力源と、この動力源の回転を変速及び伝達する動力伝達装置と、走行のための走行車輪と、耕耘のためのロータリ耕耘爪と、を機体に設けれるようにすれば実用上十分であった。
【０００３】
このような耕耘機として、機体の後部にロータリ耕耘爪（耕耘装置）を備えたものが知られている（例えば、特許文献１参照。）。
【特許文献１】特開平６−１９１３０９号公報（第８頁、図１）
【０００４】
図１０は従来の基本構成を説明する図であり、耕耘機２００は、車体フレーム２０１からエンジンベット２０２を前方に延出し、このエンジンベット２０２にエンジン２０３を搭載し、車体フレーム２０１の下部に走行車輪２０４，２０４（一方の２０４は不図示）を回転自在に取付け、車体フレーム２０１の後部にロータリ耕耘爪２０５を回転自在に取付け、このロータリ耕耘爪２０５を車体フレーム２０１に取付けた耕耘爪カバー２０６で覆い、この耕耘爪カバー２０６の後部に抵抗棒２０７及び整地板２０８を取付け、ミッションケース２０１上部から後方にハンドル２０９を延ばしたリヤタイン型の耕耘機であり、エンジン２０３の出力を変速機カバー２１１で覆ったクラッチ（不図示）及び変速機２１２を介して走行車輪２０４，２０４に伝えるとともに、エンジン２０３の出力をクラッチ及び変速機２１２を介してロータリ耕耘爪２０５に伝え、圃場（ほじょう）を耕すなどの耕耘作業をすることができるものである。
【０００５】
ところで、日曜菜園などの趣味にする人たちも多い今日では、このような小型の耕耘機においてはデザイン的な要素も需要であるとともに、例えば、普段あまり使用しない作業用品などを収納することができるようにする心遣いも必要である。
【０００６】
しかし、耕耘機では、エンジンを始動し、走行車輪及びロータリ耕耘爪を回転させ、圃場（ほじょう）を耕すなどの耕耘作業をするだけのものであり、作業用品などを収納する収納スペースがないので、耕耘機を使用及び管理する上での利便性が悪いという問題があった。
また、耕耘機では、エンジン２０３が前方に剥き出しの状態で積載したものなにで、仕事のための作業機という印象が強く、外観を損ねるという欠点があった。
【０００７】
すなわち、帽子、作業用手袋若しくは長靴などの作業用品などを収納することができるとともに、外観性を向上させることができる耕耘機が望まれる。
【発明の開示】
【発明が解決しようとする課題】
【０００８】
本発明は、作業用品などを収納する収納スペースがない点を解決し、帽子、作業用手袋若しくは長靴などの作業用品などを収納することができる耕耘機を提供するとともに、耕耘機の外観を損ねる点を解決し、耕耘機の意匠（デザイン）を向上することのできる耕耘機を提供することを課題とする。
【課題を解決するための手段】
【０００９】
請求項１に係る発明は、車体フレームにエンジンを設け、車体フレームの後部に耕耘装置を設け、車体フレームの左右に走行車輪を設け、車体フレームから機体後方に操作ハンドルを延ばし、エンジンの回転を変速機を含む動力伝達装置を介して耕耘装置及び走行車輪に伝える形式の耕耘機において、車体フレームの前部に、物品を収納するための収納ケース体を設けたことを特徴とする。
【００１０】
例えば、帽子、作業用手袋若しくは長靴などの作業用品などを収納することができるとすれば、耕耘機を使用及び管理する上での利便性を向上することができるので好ましいことである。また、耕耘機の外観性を向上させることができるとすれば、耕耘機の商品性を高めることができるので好ましいことである。
【００１１】
すなわち、車体フレームの前部に、物品を収納するための収納ケース体を設けることで、帽子、作業用手袋若しくは長靴などの作業用品などを収納することができる。また、車体フレームの前部に、物品を収納するための収納ケース体を設けることで、耕耘機の外観性（意匠性）を向上させることができる。
【００１２】
請求項２に係る発明は、収納ケース体に、開閉のためのヒンジを備え、このヒンジを、機体の前端に設けたことを特徴とする。
収納ケース体に、開閉のためのヒンジを備えることで、帽子、作業用手袋若しくは長靴などの作業用品などを容易に収納する。また、ヒンジを、機体の前端に設けることで、収納ケース体を機体の前方に回転させ開く。
【発明の効果】
【００１３】
請求項１に係る発明では、車体フレームの前部に、物品を収納するための収納ケース体を設けることで、帽子、作業用手袋若しくは長靴などの作業用品などを収納することができる。この結果、耕耘機を使用及び管理する上での利便性を向上することができるという利点がある。
また、車体フレームの前部に、物品を収納するための収納ケース体を設けることで、耕耘機の外観性（意匠性）を向上させることができる。この結果、耕耘機の商品性を高めることができるという利点がある。
【００１４】
請求項２に係る発明では、収納ケース体に、開閉のためのヒンジを備えることで、帽子、作業用手袋若しくは長靴などの作業用品などを容易に収納することができる。この結果、収納ケース体のさらなる利便性の向上を図ることができる。
また、ヒンジを、機体の前端に設けることで、蓋体を機体の前方に回転させ開けることができる。この結果、機体の前面にはカバーを開くときに耕耘機の車体フレームなどの構成部品と干渉することはなく、蓋体の開閉角度を十分に取ることができ、設計の自由度の拡大を図ることができるという利点がある。
【発明を実施するための最良の形態】
【００１５】
本発明を実施するための最良の形態を添付図に基づいて以下に説明する。なお、図面は符号の向きに見るものとする。
図１は本発明に係る耕耘機の側面図であり、耕耘機（管理機）１０は、機体１１の基部を構成する車体フレーム１２と、この車体フレーム１２の下部に取付けた変速機１３と、変速機１３の出力軸（車軸）１４の左右に取付けた走行車輪１５，１５（一方の１５は不図示）と、変速機１３の変速機ケース１６から前方に延出した荷台フレーム１７と、これらの荷台フレーム１７及び車体フレーム１２の前端に渡した隔壁１８と、荷台フレーム１７に取付けた収納ケース体２３と、この収納ケース体２３の前部に納めるとともに荷台フレーム１７の前部に取付けたバランスウエイト（おもり）２２と、車体フレーム１２の上部に搭載したエンジン（動力源）２１と、このエンジン２１及び変速機１３の間に渡した駆動チェーン２４と、この駆動チェーン２４を覆うチェーンカバー２５と、変速機１３を操作するチェンジレバー（不図示）と、車体フレーム１２の上部から後方に延出した操作ハンドル２９と、車体フレーム１２の後端に回転自在に取付けるとともに変速機１３に耕耘側チェーン３２を介して支持した耕耘装置３３と、を主要構成とするリヤタイン（rear tine)型の耕耘機である。図中、２７は車体フレーム１２に取付けた作業用ライトである。
【００１６】
すなわち、耕耘機１０は、エンジン２１から駆動チェーン２４及び変速機１３を介して左右の走行車輪１５，１５（一方の１５は不図示）へ動力を伝達するとともに、変速機１３から耕耘側チェーン３２を介して耕耘装置３３に動力を伝達することで、左右の走行車輪１５，１５及び耕耘装置３３を回転させて、圃場（ほじょう）を耕すことができる農業機械である。
【００１７】
図２は本発明に係る耕耘機の平面図であり、耕耘機１０は、収納ケース体２３及び隔壁１８で収納ボックス３４を構成し、この収納ボックス３４内に、帽子、作業用手袋若しくは長靴などの作業用品などを容易に収納することができるようにしたものである。
また、出力軸（車軸）１４を中心として機体１１後部及び機体１１前部の重量バランスをとるために、機体１１の前部にバランスウエイト２２を配置したことを示す。なお、３７はエンジン２１の回転を変速機１３（図１参照）に伝えるためのエンジン側スプロケットを示す。
エンジン２１に、３６０度傾斜対応エンジン（全方位型エンジン）を使用することで、急な傾斜地での使用を可能にすることができる。
【００１８】
図３は本発明に係る耕耘機の分解斜視図であり、耕耘機１０の主な構成部品を示す。
車体フレーム１２は、幅狭の（横幅を狭く形成した）フレームであって、略対称形状の左右の縦フレーム４１，４１と、この左右の縦フレームに渡したエンジンマウント（上部フレーム）４２と、からなり、隔壁１８を取付けるために前端に設けた隔壁取付け部４３と、変速機１３を取付けるために下部前部及び下部中央部に設けた変速機支持部４４，４４，４５，４５（右側の４４，４５は不図示）と、耕耘装置３３を回転自在に支持するために後端に設けた耕耘装置支持部４６，４６と、作業用ライト２７を取付けるライト取付け部４７と、を備える。
【００１９】
変速機１３は、エンジン２１からの動力を駆動チェーン２４を介して受ける入力側スプロケット５１と、この動力を変速して左右の走行車輪１５，１５（図２参照）を回転させるとともに左右の走行車輪１５，１５を支持する出力軸（車軸）１４と、耕耘装置３３に耕耘側チェーン３２を介して伝達する出力側スプロケット５２と、これらのスプロケット５１，５２及び出力軸１４に介在させる変速ギヤ群４９（図６参照）と、これらのスプロケット５１，５２、出力軸１４及び変速ギヤ群４９を支持するとともに、後述する車体フレーム構造体３８の一部を構成する変速機ケース（ミッションケース）１６と、を備える。
【００２０】
変速機ケース１６は、車体フレーム１２の変速機支持部４４，４４，４５，４５に係止する係止部９１，９１，９２，９２（右側の９１，９２は不図示）と、荷台フレーム１７を支持するフレーム支持部９３，９３，９４，９４（右側の９３，９４は不図示）と、を備える。
【００２１】
収納ケース体２３は、荷台フレーム１７に取付けるケース本部５３と、このケース本部５３にヒンジ５４を介して開閉自在に取付けたカバー部５５と、からなる。
バランスウエイト２２は、収納ケース体２３に倣った前部形状に形成したおもりである。チェーンカバー２５は、エンジン側スプロケット３７、駆動チェーン２４及び入力側スプロケット５１を覆うカバーである。
【００２２】
作業用ライト２７は、３６０度全方向に自在に取付けることができるライトである。
操作ハンドル２９は、エンジン２１の出力を調整するスロットルレバー５７と、エンジン２１を始動若しくは停止させるエンジンスイッチ（不図示）と、クラッチ（不図示）の離接操作をするクラッチバー５９と、を備える。
【００２３】
耕耘装置３３は、車体フレーム１２の後端（耕耘装置支持部４６）に回転自在に取付けたロータリ耕耘爪６３と、このロータリ耕耘爪６３の上部を覆うために車体フレーム１２の後部に取付けた耕耘爪カバー６４と、この耕耘爪カバー６４に昇降自在に取付けることで耕耘深さを調整する抵抗棒６５と、耕耘爪カバー６４に取付けることで耕耘した土壌の表面をならす整地板６６と、からなる。
ロータリ耕耘爪６３は、耕耘装置支持部４６に回転自在に取付ける耕耘軸６７と、この耕耘軸６７に取付けた爪体６８・・・と、耕耘軸６８に取付けることで耕耘側チェーン３２に噛み合わせる耕耘軸側スプロケット６９と、からなる。
【００２４】
なお、車体フレーム構造体３８は、先に説明した車体フレーム１２、荷台フレーム１７及び変速機ケース（ミッションケース）１６から構成する構造体であり、動力伝達装置３９は、先に説明した駆動チェーン３２、クラッチ（不図示）、変速機１３及び耕耘側チェーン３２から構成する装置である。
【００２５】
図４は本発明に係る耕耘機の収納ケース体の平面図であり、収納ケース体２３は、先に説明したように、荷台フレーム１７に取付けることで、帽子、作業用手袋若しくは長靴などの作業用品などを収納するケース本部５３と、このケース本体５３に開閉自在に取付けたカバー部５５と、これらのカバー部５５及びケース本体５３の間に介在させるヒンジ５４とから構成した部材であり、カバー部５５は、開閉のために人手を掛けるための手掛かり部８７を備える。
【００２６】
ケース本体５３は、隔壁１８とともに荷台フレーム１７にボルト８４・・・で共締めし、バランスウエイト２２とともにボルト７５，７５で荷台フレーム１７に共締めし、荷台フレーム１７にボルト７６・・・でボルト締めすることで、荷台フレーム１７に固定したものである。
【００２７】
隔壁１８は、車体フレーム１２の隔壁取付け部４３にボルト８３・・・で連結するとともに、先に説明したように、ケース本体５３を介してボルト８４，８４で荷台フレーム１７のフレーム本体７１に連結したものであり、車体フレーム構造体３８（図１参照）の一部を構成する連結部材でもある。
また、収納ケース体２３は、ヒンジ５４を、機体１１の前端に設けることで、収納ケース体２３を機体１１の前方に回転させ開くことができるようにしたものである。
【００２８】
図５は本発明に係る耕耘機の収納ケース体の側面断面図であり、荷台フレーム１７は、エンジン２１（図３参照）を載置するフレーム本体７１と、このフレーム本体７１を支えるフレームステー７２，７２と、からなり、車体フレーム構造体３８（図１参照）の一部を構成する連結部材でもある。
【００２９】
フレームステー７２は、フレーム本体７１に溶接したものであり、変速機ケース１６のステー支持部９３，９４に取付けるための取付け孔７８，７９を形成したものである。
なお、隔壁１８は、車体フレーム１２の隔壁取付け部４３にボルト８３・・・で連結するとともに、先に示したように、ボルト８４，８４で荷台フレーム１７に連結したものであり、車体フレーム構造体３８（図１参照）の一部を構成する連結部材でもある。
【００３０】
図６は本発明に係る耕耘機の側面断面図であり、耕耘機１０は、車体フレーム１２にエンジン２１を設け、車体フレーム１２の後部に耕耘装置３３を設け、車体フレーム１２の左右に走行車輪１５，１５（一方の１５は不図示）を設け、車体フレーム１２から機体１１後方に操作ハンドル２９を延ばし、エンジン２１の回転を変速機１３を含む動力伝達装置３９を介して耕耘装置３３及び走行車輪１５，１５に伝える形式の耕耘機において、車体フレーム１２の前部に、物品を収納するための収納ケース体２３を設けたものである。
【００３１】
例えば、帽子、作業用手袋若しくは長靴などの作業用品などを収納することができるとすれば、耕耘機を使用及び管理する上での利便性を向上することができるので好ましいことである。また、耕耘機の外観性を向上させることができるとすれば、耕耘機の商品性を高めることができるので好ましいことである。
【００３２】
そこで、車体フレーム１２の前部に、物品を収納するための収納ケース体２３を設けることで、帽子、作業用手袋若しくは長靴などの作業用品などを収納することができる。この結果、耕耘機１０を使用及び管理する上での利便性を向上することができる。
また、車体フレーム１２の前部に、物品を収納するための収納ケース体２３を設けることで、耕耘機１０の外観性（意匠性）を向上させることができる。この結果、耕耘機１０の商品性を高めることができる。
【００３３】
また、耕耘機１０は、収納ケース体２３に、開閉のためのヒンジ５４を備えたものである。
収納ケース体２３に、開閉のためのヒンジ５４を備えることで、帽子、作業用手袋若しくは長靴などの作業用品などを容易に収納することができる。この結果、収納ケース体２３のさらなる利便性の向上を図ることができる。
なお、変速ギヤ群４９は、入力側スプロケット５１及び出力側スプロケット５２を含むものとする。
【００３４】
図７は本発明に係る耕耘機の平面断面図であり、耕耘機１０は、ヒンジ５４を、機体１１の前端に設けたことを示す。
ヒンジ５４を、機体１１の前端に設けることで、収納ケース体２３を機体１１の前方に回転させ開けることができる。この結果、機体の前面には収納ケース体２３を開くときに耕耘機１０の車体フレーム１２などの構成部品と干渉することはなく、収納ケース体２３の開閉角度を十分にとることができ、設計の自由度の拡大を図ることができる。
また、車体フレーム１２に、作業用ライト２７を備えることで、朝方若しくは夕方の耕耘作業を可能にすることができる。この結果、耕耘機１０の利用頻度の拡大を図ることができる。
【００３５】
耕耘機１０は、車体フレーム１２に幅狭の（横幅を狭く形成した）フレームを採用したので、機体１１幅を小さく設計することができる。この結果、機体１１の取り回しや扱い性を改善することができる。例えば、トラックなどへの積載を一人で行うことができる。
さらに、車体フレーム１２に幅狭のフレームを採用することで、耕耘機１０を小型、軽量にすることができる。この結果、燃料を節減することができる。
【００３６】
図８（ａ），（ｂ）は本発明に係る耕耘機の収納ケース体に作業用品を収納前の状態を示す作用説明図である。
（ａ）において、耕耘作業が可能な若しくは保管が可能な収納ケース体２３の初期状態を示す。
（ｂ）において、収納ケース体２３のカバー部５５に設けた手掛かり部８７に人手を掛け、矢印ａ１の如くカバー部を開ける。
【００３７】
図９（ａ），（ｂ）は本発明に係る耕耘機の収納ケース体に作業用品を収納後の状態を示す作用説明図である。
（ａ）において、収納ケース体２３に、矢印ａ２の如く、帽子９５、作業用手袋９６若しくは長靴９７などの作業用品などを容易に収納する。
（ｂ）において、収納ケース体２３のカバー部５５を、矢印ａ３の如く締める。
【００３８】
尚、本発明に係る耕耘機は、図５に示すように、収納ボックス３４を収納ケース体２３及び隔壁１８で構成したが、これに限るものではなく、隔壁１８に相当する壁面を収納ケース体に設けたものであってもよい。
【００３９】
本発明に係る耕耘機は、図１に示すように、動力源にエンジン２１を用いたが、これに限るものではなく、他の動力源を用いることを妨げるものではない。例えば、充電式のバッテリで駆動する電動モータを用いたものであってもよい。
本発明に係る耕耘機は、図１に示すように、耕耘作業のみをする農業機械であったが、これに限るものではなく、ロータリ耕耘爪の代わりに、例えば、畝立て等をする畝立て機を取付けることが可能であり、育成や施肥などの作業を行うことが可能な管理機としたものであってもよい。
【産業上の利用可能性】
【００４０】
本発明に係る耕耘機は、耕耘装置（ロータリ耕耘爪）を機体の後部に設けるリヤタイン型（形式）の耕耘機に採用するのに好適である。
【図面の簡単な説明】
【００４１】
【図１】本発明に係る耕耘機の側面図である。
【図２】本発明に係る耕耘機の平面図である。
【図３】本発明に係る耕耘機の分解斜視図である。
【図４】本発明に係る耕耘機の収納ケース体の平面図である。
【図５】本発明に係る耕耘機の収納ケース体の側面断面図である。
【図６】本発明に係る耕耘機の側面断面図である。
【図７】本発明に係る耕耘機の平面断面図である。
【図８】本発明に係る耕耘機の収納ケース体に作業用品を収納前の状態を示す作用説明図である。
【図９】本発明に係る耕耘機の収納ケース体に作業用品を収納後の状態を示す作用説明図である。
【図１０】従来の基本構成を説明する図である。
【符号の説明】
【００４２】
１０…耕耘機、１１…機体、１２…車体フレーム、１３…変速機、１５…走行車輪、２１…エンジン、２３…収納ケース体、２９…操作ハンドル、３３…耕耘装置、３９…動力伝達装置、５４…ヒンジ。
【図１】
2005295853.tif 000003
【図２】
2005295853.tif 000004
【図３】
2005295853.tif 000005
【図４】
2005295853.tif 000006
【図５】
2005295853.tif 000007
【図６】
2005295853.tif 000008
【図７】
2005295853.tif 000009
【図８】
2005295853.tif 000010
【図９】
2005295853.tif 000011
【図１０】
2005295853.tif 000012